(57)【要約】【課題】　開閉操作が容易なベネチアン・ブラインドを提供する。【解決手段】　本発明のベネチアン・ブラインド５０は、トップバー２１、ボトムバー２０、及びトップバー２１とボトムバー２０の間に配列された水平のスラット３５を備え、更に、ボトムバー２０の高さを調整するための引き上げ機構３０，３１を備える。引き上げ機構３０，３１は、トップバー２１に取り付けられた第一部材１１，１３、及びボトムバー２０に取り付けられた第二部材１０，１２を備え、更に、一端が当該ベネチアン・ブラインド５０に取り付けられ、第一部材１１，１３及び第二部材１０，１２に通されるコード１，２とを備える。このように構成すれば、集合コード２５の自由端側の移動量が、ボトムバー２０の移動量よりも大きく、従って、メカニカル・アドバンテージを有する状態で前記ボトムバー２０の高さを調整することができる。【選択図】　　　図２
2004143918.tif 000002
【特許請求の範囲】
【請求項１】
　トップバー（２１）、ボトムバー（２０）、前記トップバー（２１）と前記ボトムバー（２０）の間に配列された水平のスラット（３５）、及びボトムバー（２０）の高さを調整するための引き上げ機構（３０，３１）を備えたベネチアン・ブラインド（５０）において、
　前記引き上げ機構（３０，３１）は、前記トップバー（２１）に取り付けられた第一部材（１１，１３）と、前記ボトムバー（２０）に取り付けられた第二部材（１０，１２）と、一端が前記ベネチアン・ブラインド（５０）に取り付けられ、前記第一部材（１１，１３）及び第二部材（１０，１２）に通されるコード（１，２）とを備え、
　前記コード（２５）の自由端側の移動量が、前記ボトムバー（２０）の移動量よりも大きく、それによって、メカニカル・アドバンテージを有する状態で、前記ボトムバー（２０）の高さの調整が可能であることを特徴とするベネチアン・ブラインド。
【請求項２】
　前記コード（１，２）は、前記トップバー（２１）に取り付けられていることを特徴とする請求項１に記載のベネチアン・ブラインド（５０）。
【請求項３】
　前記コード（１，２）は、第一部材（１１，１３）の近傍に取り付けられていることを特徴とする請求項１または２に記載のベネチアン・ブラインド（５０）。
【請求項４】
　前記第一部材（１１，１３）は、前記トップバー（２１）に取り付けられた複数の部材の一つであること、及び、
　前記コード（１，２）は、前記トップバー（２１）に取り付けられた前記部材の全て（１１，１３）に通されること、
　を特徴とする請求項１から３のいずれかに記載のベネチアン・ブラインド（５０）。
【請求項５】
　前記第二部材（１０，１２）は、前記ボトムバー（２０）に取り付けられた複数の部材の一つであること、及び、
　前記コード（１，２）は、前記ボトムバー（２０）に取り付けられた前記部材の全て（１０，１２）に通されること、
　を特徴とする請求項１から４のいずれかに記載のベネチアン・ブラインド（５０）。
【請求項６】
　前記部材（１１，１３；１０，１２）は、回転可能であることを特徴とする請求項１から５のいずれかに記載のベネチアン・ブラインド（５０）。
【請求項７】
　前記部材（１１，１３；１０，１２）は、プーリーであることを特徴とする請求項１から６のいずれかに記載のベネチアン・ブラインド（５０）。
【請求項８】
　前記引き上げ機構（３０，３１）は、複数の同様な引き上げ機構の一つであることを特徴とする請求項１から６のいずれかに記載のベネチアン・ブラインド（５０）。
【請求項９】
　前記引き上げ機構（３０，３１）の前記コード（１，２）を受けるための更なる部材（１５）を備えたことを特徴とする請求項８に記載のベネチアン・ブラインド（５０）。
【請求項１０】
　前記更なる部材（１５）は、回転可能であることを特徴とする請求項９に記載のベネチアン・ブラインド（５０）。
【請求項１１】
　前記更なる部材（１５）は、プーリーであることを特徴とする請求項９または１０に記載のベネチアン・ブラインド（５０）。
【発明の詳細な説明】
【技術分野】
【０００１】
　本発明は、ベネチアン・ブラインド（venetian blind）に係り、特に、ベネチアン・ブラインドの引き上げ機構に係る。
【背景技術】
【０００２】
　ベネチアン・ブラインドは、トップバー及びボトムバーを備えている。トップバーは、窓枠の上部部分（または同様な取り付けポイント）に取り付けられる。ボトムバーは、トップバーの下に引き上げ機構の引っ張りコードを用いて吊り下げられる。水平のスラットは、トップバーとボトムバーの間に吊り下げられる。水平のスラットの傾斜角度を変えることによって、窓を通過する光の量を調整することができる。必要な場合には、このベネチアン・ブラインドを引き上げることにより、窓へのフル・アクセスが可能になる。
【０００３】
　ブラインドを引き上げるとき、人がコードを引っ張る（または、コードの束を一緒に引っ張る）。この操作でコートがトップバーに向かって引っ張られ、それによって、ブラインドのボトムバーがトップバーに向かって引き上げられる。ボトムバーが各スラットに到達するにつれて、スラットがボトムバーの上に寄せ集められて行き、ブラインドが引き上げられる。
【０００４】
　図１に、従来のベネチアン・ブラインド ・アセンブリの一例を示す。このベネチアン・ブラインド ・アセンブリ１５０は、トップバー１２１、ボトムバー１２０、水平のスラット１３５、集合コード１２５、及び引き上げ機構１３０，１３１を備えている。引き上げ機構１３０，１３１は、プーリー１１１，１１３、及びボトムバー１２０に取り付けられた引っ張りコード１６０，１６１を備えている。これらの引っ張りコード１６０，１６１は、双方とも、セカンダリー・プーリー１１５を通って一つにまとめられ、集合コード１２５となる。このブラインド・アセンブリ１５０の引き上げ機構１３０，１３１において、集合コード１２５の移動量はボトムバー１２０の同一の移動量に変換される。
【発明の開示】
【発明が解決しようとする課題】
【０００５】
　従来のベネチアン・ブラインドには、次のような問題があった。即ち、ブラインド・アセンブリ（即ち、ボトムバー及び寄せ集められたスラット）の重量のため、ブラインドの開閉操作に過大な労力を要すると言うことである。このことは、特に、木製のベネチアン・ブラインド（その重量が１０ｋｇを超えることもある）で問題となっていた。
【０００６】
　このため、ベネチアン・ブラインドの開閉操作を容易にするシステムの開発が望まれていた。
【課題を解決するための手段】
【０００７】
　本発明によるベネチアン・ブラインドは、
　トップバー、ボトムバー、前記トップバーと前記ボトムバーの間に配列された水平のスラット、及びボトムバーの高さを調整するための引き上げ機構を備えたベネチアン・ブラインドにおいて、
　前記引き上げ機構は、前記トップバーに取り付けられた第一部材と、前記ボトムバーに取り付けられた第二部材と、一端が前記ベネチアン・ブラインドに取り付けられ前記第一部材及び第二部材に通されるコードとを備え、
　前記コードの自由端側の移動量が、前記ボトムバーの移動量よりも大きく、それによって、メカニカル・アドバンテージ（コードを引っ張る力に対して、それにより得られるボトムバーを引き上げる力の比が大きいこと）を有する状態で、前記ボトムバーの高さの調整が可能であることを特徴とする。
【０００８】
　ここで、前記第一部材及び前記第二部材は、コードを、過大な摩擦抵抗を伴わずに、当該要素に通すことが可能なものである。
【０００９】
　好ましくは、前記コードは、ブラインド・アセンブリのトップバーに取り付けられる。
【００１０】
　更に、好ましくは、前記コードは、トップバーに取り付けられている第一部材の近傍に取り付けられる。
【００１１】
　オプションとして、前記第一部材は、トップバーに取り付けられた複数の同様な部材の一つであり、前記コードはトップバーに取り付けられたそれらの部材に通される。
【００１２】
　更なるオプションとして、前記第二部材は、ボトムバーに取り付けられた複数の同様な部材の一つであり、前記コードはボトムバーに取り付けられたそれらの部材に通される。
【００１３】
　好ましくは、前記部材は回転可能な部材である。これによって、前記部材はそこを通るコードの動きに従って回転する。
【００１４】
　更に、好ましくは、前記部材はプーリーである。
【００１５】
　好ましくは、前記ベネチアン・ブラインドは少なくとも二つの引き上げ機構を備える。
【００１６】
　好ましくは、前記ベネチアン・ブラインドはそれらの引き上げ機構のコードを受けるための更なる部材を備える。
【００１７】
　好ましくは、前記更なる部材は回転可能な部材である。このようにすれば、前記更なる部材はそこを通るコードの動きに従って回転する。
【００１８】
　更に、好ましくは、前記更なる部材はプーリーである。
【発明を実施するための最良の形態】
【００１９】
　本発明をより明瞭に確認するため、その実施態様（但し、一例に過ぎない）について添付図面を用いて説明する。
【００２０】
　図２に、ボトムバー２０を最下点まで下した状態のブラインド・アセンブリ５０を示す。ブラインド・アセンブリ５０のトップバー２１は、窓（図示せず）の上部に取り付けられている。水平のスラット３５は、ボトムバー２０とトップバー２１の間に配列されている。集合コード２５の長さを変えることによってボトムバー２０の高さが変わり、それによって、ブラインド・アセンブリ５０の開閉状態を調整することができる。
【００２１】
　図３に、図２に示したブラインド・アセンブリ５０が途中まで引き上げられた状態を示す。このとき、ボトムバー２０の高さはその上限位置と下限位置の中間にある。ボトムバー２０が引き上げられるのに伴い、スラット３５がボトムバー２０の上に段階的に寄せ集められる。寄せ集められたスラットは、ボトムバー２０と共に引き上げられる。
【００２２】
　集合コード２５は、引っ張りコード１及び２からで構成され、それらは、それぞれ、引き上げ機構３０及び３１に割り当てられている。双方の引っ張りコード１及び２は、取り付けポイント５及び６でトップバー２１に取り付けられている。これらの取り付けポイント５及び６は、それぞれ対応する上側のプライマリー・プーリー１１、１３の近傍に配置されている。引っ張りコード１は、取り付けポイント５から、先ず、ボトムバー２０に固定されている下側のプライマリー・プーリー１０に巻き付き、次いで、トップバー２１に固定されている上側のプライマリー・プーリー１１に巻き付く。
【００２３】
　同様に、引っ張りコード２は、取り付けポイント５から、先ず、ボトムバー２０に固定されている下側のプライマリー・プーリー１２に巻き付き、次いで、トップバー２１に固定されている上側のプライマリー・プーリー１３に巻き付く。双方の引っ張りコード１及び２は、次いで、セカンダリー・プーリー１５に巻き付き、そこで、集合コード２５が形成される。
【００２４】
　取り付けポイント５、６と下側のプライマリー・プーリー１０、１２の間、及び、下側のプライマリー・プーリー１０、１２と上側のプライマリー・プーリー１１、１３の間で、引っ張りコード１、２は、一般的に、垂直方向に架け渡されている。このようにして、ボトムバー２０は、取り付けポイント５、６及び上側のプライマリー・プーリー１１、１３から吊り下げられている。
【００２５】
　寄せ集められたスラット及びボトムバー２０からなる吊り下げ重量は、４つの吊り下げポイント（即ち、取り付けポイント５、６及び上側のプライマリー・プーリー１１、１３）で支えられる。引っ張りコード１及び２は、上側のプライマリー・プーリー１１、１３のそれぞれに作用している上記吊り下げ重量による荷重をセカンダリー・プーリー１５に伝達し、最終的に、集合コード２５に伝達する。上記の吊り下げ重量による荷重は、各吊り下げポイントの間で均等に分配されるので、ブラインドを一定の位置に保持するために集合コード２５に対して要求される力は、上記の吊り下げ重量による荷重の半分である。従って、集合コード２５の移動量はボトムバー２０の移動量よりも大きい。このようにして、ボトムバー２０を引き上げる際にメカニカル・アドバンテージが得られる。
【００２６】
　図４に、二つの引き上げ機構を備えたブラインド・アセンブリ５０を示す。トップバー２１は、上側のプライマリー・プーリー１１、１３を備え、これらのプライマリー・プーリー１１、１３には、更に、引っ張りコード１、２のための取り付けポイント５、６が設けられている。セカンダリー・プーリー１５は、トップバー２１の端部の近傍に取り付けられ、それによって、引き上げ機構から離れた位置から集合コード２５を操作することができるようになっている。
【００２７】
　本発明の技術的範囲内での様々な変形は、当業者であれば容易に行うことができる。従って、本発明は、以上において例として示した特定の実施態様に限定されないことを理解すべきである。
【図面の簡単な説明】
【００２８】
【図１】従来のベネチアン・ブラインドの概略的な正面図。
【図２】本発明の一実施態様によるベネチアン・ブラインドの概略的な正面図であって、ブラインドを最下点まで下ろした状態を表す図。
【図３】図２のベネチアン・ブラインドにおいて、ブラインドを部分的に引き上げた状態を表す図。
【図４】本発明の他の実施態様によるベネチアン・ブラインドの概略的な不等角投影図であって、ブラインドを最下点まで下ろした状態を示す図。
【符号の説明】
【００２９】
　１，２，１６０，１６１・・・引っ張りコード、５，６・・・取り付けポイント、１０，１２・・・下側のプライマリー・プーリー、１１，１３・・・上側のプライマリー・プーリー、１５，１１５・・・セカンダリー・プーリー、２０，１２０・・・ボトムバー、２１，１２１・・・トップバー、２５，１２５・・・集合コード、３０，３１，１３０，１３１・・・引き上げ機構、３５，１３５・・・水平のスラット、５０，１５０・・・ベネチアン・ブラインド ・アセンブリ、１１１，１１３・・・プーリー。
【図１】
2004143918.tif 000003
【図２】
2004143918.tif 000004
【図３】
2004143918.tif 000005
【図４】
2004143918.tif 000006